(57)【要約】【課題】装置の端子に接続して電力または情報を流通させるケーブルを効率良く配線することができるケーブル固定台を提供する。【解決手段】ケーブル固定台１００は、電力または情報を流通させる端子２１０を備えた例えば無停電電源装置２００に用いるケーブル２２０を固定する台である。ケーブル固定台は、載置部１０１と側部１０２を有している。載置部は、無停電電源装置に取り付けられ、端子に接続されたケーブルを載置する。側部は、載置部の外周縁から上方に突出させて形成し、ケーブルの配置を規制する。【選択図】図２
2015216774.tif 000002
【特許請求の範囲】
【請求項１】
電力または情報を流通させる端子を備えた装置に用いるケーブルを固定する台であって、
前記装置に取り付けられ、前記端子に接続された前記ケーブルを載置する載置部と、
前記載置部の外周縁から上方に突出させて形成し、前記ケーブルの配置を規制する側部と、を有するケーブル固定台。
【請求項２】
前記載置部および前記側部は、別個の板状の部材を接合して形成し、または一の板状の部材を屈折または屈曲させて形成した請求項１に記載のケーブル固定台。
【請求項３】
屈曲自在な長尺形状に形成され、一端と他端を結束して環状に形成自在な結束部材を、さらに有し、
前記載置部は、部分的に貫通させて形成した開口部を備え、
前記結束部材は、前記開口部を挿通させつつ、前記開口部を跨いで載置された前記ケーブルを結束する請求項１または２に記載のケーブル固定台。
【請求項４】
前記開口部は、前記ケーブルを載置する載置面に備えた請求項３に記載のケーブル固定台。
【請求項５】
前記側部は、部分的に切り欠いて形成した切欠部を備え、
前記結束部材は、前記切欠部を介して前記ケーブルを結束する請求項３または４に記載のケーブル固定台。
【請求項６】
前記載置部は、複数本の前記ケーブルを載置自在な請求項１〜５のいずれか１項に記載のケーブル固定台。
【請求項７】
前記側部は、無停電で電力を出力する前記装置に用いる前記ケーブルの配置を規制する請求項１〜６のいずれか１項に記載のケーブル固定台。
【発明の詳細な説明】
【技術分野】
【０００１】
本発明は、電力または情報を流通させる端子を備えた例えば無停電電源装置に用い、端子に接続されたケーブルを固定する台に関する。
【背景技術】
【０００２】
従来、例えば商用電源の供給を受け、その電圧値や電流値を所定の値に変換した後、外部の機器に対して出力する装置がある。このような装置の一例として、交流１００Ｖの商用電源を例えば電圧値１２Ｖかつ電流値１Ａに変換し、その電力を加工機器や試験機器に供給する電源装置がある。さらに、装置の他の例として、サーバーコンピュータや医療器具のような機器に対して、無停電で電力を供給する無停電電源装置がある。
【０００３】
ところで、上記のような装置において、ケーブルを配線しつつ固定する固定台の一形態に相当するコネクタ端子台を備えたものがある。ケーブルは、例えば、装置に備えられ電力を流通させる端子に接続して用いられる（例えば、特許文献１参照。）。
【先行技術文献】
【特許文献】
【０００４】
【特許文献１】特開２００４−７１４７６号公報
【発明の概要】
【発明が解決しようとする課題】
【０００５】
しかしながら、特許文献１の技術では、必ずしも電力を流通させるケーブルを効率良く配線することができない虞がある。
【０００６】
本発明は、上記の事情に鑑みてなされたものであり、装置の端子に接続して電力または情報を流通させるケーブルを効率良く配線することができるケーブル固定台の提供を目的とする。
【課題を解決するための手段】
【０００７】
上記目的を達成するためのケーブル固定台は、電力または情報を流通させる端子を備えた装置に用いるケーブルを固定する台である。ケーブル固定台は、載置部と側部を有している。載置部は、装置に取り付けられ、端子に接続されたケーブルを載置する。側部は、載置部の外周縁から上方に突出させて形成し、ケーブルの配置を規制する。
【発明の効果】
【０００８】
本発明に係るケーブル固定台は、側部によってケーブルの配置を規制する。したがって、ケーブル固定台は、装置の端子に接続するケーブルを、側部を目安にしたり側部に沿わせたりして配線することができる。すなわち、ケーブル固定台を用いることによって、装置の端子に接続して電力または情報を流通させるケーブルを、効率良く配線することができる。
【図面の簡単な説明】
【０００９】
【図１】実施形態に係るケーブル固定台を取り付けた無停電電源装置を示す斜視図である。
【図２】図１の要部を示す斜視図である。
【発明を実施するための形態】
【００１０】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。
【００１１】
（実施形態）
実施形態のケーブル固定台１００の構成について、図１および図２を参照しながら説明する。
【００１２】
図１は、ケーブル固定台１００を取り付けた無停電電源装置２００を示す斜視図である。図２は、図１の要部を示す斜視図である。
【００１３】
ケーブル固定台１００は、電力または情報を流通させる端子２１０を備えた例えば無停電電源装置２００に用いるケーブル２２０を固定する台である。
【００１４】
ケーブル固定台１００は、載置部１０１、側部１０２、開口部１０３、および切欠部１０４を備えている。さらに、ケーブル固定台１００は、支柱１１０および結束バンド１２０（結束部材に相当）を有している。以下、ケーブル固定台１００を構成する部材について、具体的に説明する。
【００１５】
載置部１０１は、例えば、長方形状の金属板の一端を、いわゆる板金加工によって屈折させて取付面１０１Ａを形成している。載置部１０１は、取付面１０１Ａを介して無停電電源装置２００にネジ留めしている。載置部１０１は、取付面１０１Ａに対向した部位に、側部１０２を備えている。側部１０２は、載置部１０１の外周縁を屈折させることによって、載置部１０１の外周縁から上方に突出させて形成している。すなわち、側部１０２は、載置部１０１と一体成形している。側部１０２は、その高さをケーブル２２０の直径以上に形成している。
【００１６】
載置部１０１は、開口部１０３を備えている。開口部１０３は、ケーブル２２０を載置する載置面１０１Ｂを部分的に貫通させて形成している。切欠部１０４は、側部１０２を部分的に切り欠いて形成している。開口部１０３および切欠部１０４は、結束バンド１２０によってケーブル２２０を結束する際に用いる。載置部１０１は、複数本のケーブル２２０を水平方向に並べて載置している。複数のケーブル２２０は、無停電電源装置２００から外部に対して例えば無停電の電力を供給する。
【００１７】
支柱１１０は、遮蔽部材に相当する。支柱１１０は、例えば、細長い金属板を、Ｌ字状に屈折させて形成している。支柱の１１０の一端１１０Ａは、ケーブル固定台１００の側部１０２にネジ留めしている。支柱の１１０の一端１１０Ａに対向した他端１１０Ｂは、無停電電源装置２００の側板にネジ留めしている。支柱１１０は、ケーブル固定台１００の載置部１０１がケーブル２２０の自重や外部からの衝撃に起因して変形してしまうことを防止している。
【００１８】
結束バンド１２０は、結束部材に相当する。結束バンド１２０は、屈曲自在な長尺形状に形成され、一端と他端を結束して環状に形成自在である。結束バンド１２０には、例えばインシュロック（登録商標）を用いる。結束バンド１２０は、載置部１０１の載置面１０１Ｂに形成した開口部１０３に挿通し、かつ、側部１０２に形成した切欠部１０４に引っ掛けた状態で、開口部１０３を跨いで載置されたケーブル２２０を結束する。結束バンド１２０は、１本または複数本用いる。
【００１９】
上述した実施形態によれば、以下の効果を奏する。
【００２０】
（１）ケーブル固定台１００は、電力または情報を流通させる端子２１０を備えた例えば無停電電源装置２００に用いるケーブル２２０を固定する台である。ケーブル固定台１００は、載置部１０１と側部１０２を有している。載置部１０１は、無停電電源装置２００に取り付けられ、端子２１０に接続されたケーブル２２０を載置する。側部１０２は、載置部１０１の外周縁から上方に突出させて形成し、ケーブル２２０の配置を規制する。
【００２１】
このような構成によれば、ケーブル固定台１００は、側部１０２によってケーブル２２０の配置を規制する。したがって、ケーブル固定台１００は、無停電電源装置２００の端子２１０に接続するケーブル２２０を、側部１０２を目安にしたり側部１０２に沿わせたりして配線することができる。すなわち、ケーブル固定台１００を用いることによって、無停電電源装置２００の端子２１０に接続して電力または情報を流通させるケーブル２２０を、効率良く配線することができる。
【００２２】
さらに、このような構成によれば、ケーブル固定台１００は、載置部１０１と側部１０２によって、いわゆるトレイのような形状に形成されていることから、ケーブル２２０を固定する機能に加えて、ケーブル２２０を最適な経路で配置する機能も備えている。最適な経路は、無停電電源装置２００の下方や周囲に配設された機器に干渉する等によって影響を与えない経路に相当する。さらに、配線に携わる作業者は、例えば無停電電源装置２００の端子２１０に取り付けたケーブル２２０を、載置部１０１の外周縁に形成した側部１０２に沿って配線すればよい。すなわち、作業者の交代や作業者の熟練度に依存することなく、均一かつ容易な配線作業を継続的に実施することができる。したがって、ケーブル固定台１００を用いることによって、作業性効率が向上して、作業時間を短縮させることができる。さらに、ケーブル固定台１００を用いることによって、ケーブル２２０の配線の経路が一定になることから、ケーブル２２０が適用な経路を外れてしまうことによって意図せぬ電気ノイズの影響を受けることを防止できる。
【００２３】
（２）さらに、載置部１０１および側部１０２は、別個の板状の部材を接合して形成し、または一の板状の部材を屈折または屈曲させて形成した構成としてもよい。
【００２４】
このように、載置部１０１および側部１０２を別個の板状の部材を接合して形成すれば、固定するケーブル２２０の仕様に合わせて、幅を規定する載置部１０１と、高さを規定する側部１０２の条件を任意に選択することができる。例えば、配置する必要があるケーブル２２０の本数に合わせて、幅を異ならせた複数種類の載置部１０１と、高さが同じ一種類の側部１０２とを、任意に組み合わせて、最適なケーブル固定台１００を構成することができる。すなわち、ケーブル２２０の本数に合わせて、ケーブル固定台１００の幅を任意に調整することができる。載置部１０１と側部１０２の接合は、例えば、ネジを用いたネジ留めや、接着剤を用いた接着により行うことができる。すなわち、載置部１０１と側部１０２の接合は、非常に汎用性が高く容易な方法によって行うことができる。
【００２５】
また、載置部１０１および側部１０２を一の板状の部材を屈折または屈曲させて形成すれば、例えばいわゆる板金加工によって所望の形状のケーブル固定台１００を、廉価であって容易に形成できる。特に、載置部１０１の外周縁を部分的に屈折させることによって、側部１０２と載置部１０１を一体成形することによって、側部１０２に十分な強度を備えることができる。すなわち、側部１０２がケーブル２２０によって強く付勢されたとしても、側部１０２の変形を最小限に留め、ケーブル２２０を固定することができる。
【００２６】
（３）さらに、屈曲自在な長尺形状に形成され、一端と他端を結束して環状に形成自在な結束バンド１２０（結束部材に相当）を、さらに有し、載置部１０１は、部分的に貫通させて形成した開口部１０３を備え、結束バンド１２０は、開口部１０３を挿通させつつ、開口部１０３を跨いで載置されたケーブル２２０を結束する構成としてもよい。
【００２７】
このような構成によれば、非常に簡便な構成である結束バンド１２０と、載置部１０１に形成した開口部１０３によって、ケーブル２２０の配置を容易に確定させることができる。
【００２８】
（４）さらに、開口部１０３は、ケーブル２２０を載置する載置面１０１Ｂに備えた構成としてもよい。
【００２９】
このような構成によれば、ケーブル２２０は、その自重によって載置面１０１Ｂを押圧している状態で、その載置面１０１Ｂから離間することなく、開口部１０３に挿通した結束バンド１２０によって、載置面１０１Ｂに密着させたまま固定することができる。さらに、載置面１０１Ｂは、十分な面積を備えていることから、開口部１０３の大きさや位置を任意に設定することができる。
【００３０】
（５）さらに、側部１０２は、部分的に切り欠いて形成した切欠部１０４を備え、結束バンド１２０は、切欠部１０４を介してケーブル２２０を結束する構成としてもよい。
【００３１】
このような構成によれば、載置部１０１に形成した開口部１０３に加えて、側部に形成した切欠部１０４によって、結束バンド１２０の位置がずれないようにすることができる。さらに、ケーブル２２０は、結束バンド１２０によって、開口部１０３から切欠部１０４に至るまでの領域において付勢された状態で結束されていることから、強固に固定されている。
【００３２】
（６）さらに、載置部１０１は、複数本のケーブル２２０を載置自在な構成としてもよい。
【００３３】
このような構成によれば、載置部１０１の大きさを任意に設定するだけで、所望の本数のケーブル２２０を載置することができる。複数本のケーブル２２０は、水平方向に並べて載置してもよいし、水平方向に並べた状態で上方に積み重ねるように載置してもよい。
【００３４】
（７）さらに、側部１０２は、無停電で電力を出力する無停電電源装置２００に用いるケーブル２２０の配置を規制する構成としてもよい。
【００３５】
このような構成によれば、ケーブル固定台１００は、ケーブル２２０を効率良く配線していることから、そのケーブル２２０に過度な応力が発生し難い。すなわち、ケーブル固定台１００は、ケーブル２２０が端子２１０から脱落することを抑制している。したがって、ケーブル固定台１００は、特に、無停電で電力を供給する必要があるサーバーコンピュータや医療器具等のような機器に対して電力を供給する無停電電源装置２００に取り付けて使用することが好適である。
【００３６】
以上、本発明における好適な実施形態を説明したが、これらは本発明を説明するための例示であり、本発明の範囲をこれらの実施形態にのみ限定する趣旨ではない。すなわち、本発明は、その要旨を逸脱しない範囲で、上述した実施形態とは異なる種々の態様で実施することができる。
【００３７】
例えば、ケーブル固定台１００は、無停電で電力を供給する無停電電源装置２００に取り付けて使用する形態として説明したが、このような構成に限定されることはない。例えば、ケーブル固定台１００は、商用電源の供給を受け、その電圧値や電流値を所定の値に変換した後、外部の機器に対して出力する装置に取り付けて使用する構成とすることができる。
【００３８】
また、ケーブル固定台１００は、ケーブル２２０を載置する載置部１０１の表面に凹凸を形成することによって、ケーブル２２０との摩擦力を増大させて移動を防止する構成としてもよい。さらに、ケーブル固定台１００は、載置部１０１の表面に摩擦係数が大きい塗料を塗工することによって、ケーブル２２０との摩擦力を増大させて移動を防止する構成としてもよい。このような構成によれば、ケーブル２２０を配置した後に、その位置がずれてしまうことを防止できる。
【符号の説明】
【００３９】
１００  ケーブル固定台、
１０１  載置部、
１０１Ａ  取付面、
１０１Ｂ  載置面、
１０２  側部、
１０３  開口部、
１０４  切欠部、
１１０  支柱、
１１０Ａ  一端、
１１０Ｂ  他端、
１２０  結束バンド（結束部材）、
２００  無停電電源装置（装置）、
２１０  端子、
２２０  ケーブル。
【図１】
2015216774.tif 000003
【図２】
2015216774.tif 000004